(57)【特許請求の範囲】
【請求項１】
複数種の帳票体を重ね合わせて多層帳票を作製する多層帳票の作製システムであって、
前記各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、少なくとも当該各帳票体をそれぞれ個別に重ね調整位置に搬送するそれぞれの搬送手段と、
前記重ね調整位置に搬送される各帳票体に付された前記認識符号に前記所定波長の励起光を照射しながら前記認識符号を撮像する撮像手段と、
前記撮像手段で撮像されたそれぞれの認識符号間の一致部分の位置ずれ量を演算し、各帳票体の認識符号の一致部分を一致させるために、何れかの帳票体を搬送する前記搬送手段に対して当該位置ずれ量に応じた移動量を出力する駆動制御処理手段と、
前記認識符号の一致部分が一致された各帳票体を重ね合わせて多層帳票を形成させる重ね合わせ手段と、
を有することを特徴とする多層帳票の作製システム。
【請求項２】
請求項１記載の多層帳票の作製システムであって、前記重ね調整位置に、前記各帳票体に付された認識符号の一致部分と一致する基準一致部分を備えた基準認識符号が付された部材が設けられ、当該基準認識符号に対して順次対応帳票体の認識符号の一致部分を一致させていくことを特徴とする多層帳票の作製システム。
【請求項３】
請求項１または２記載の多層帳票の作製システムであって、前記各帳票体は、それぞれ、枚葉の帳票体、または枚葉帳票体が所定数連続した連続帳票体であり、当該連続帳票体が前記重ね合わせ手段で重ね合わされた後に単一の多層帳票に分離されることを特徴とする多層帳票の作製システム。
【請求項４】
複数種の帳票体を重ね合わせて多層帳票を作製する際に、重ね調整位置に搬送される各帳票体を位置合わせする工程を含む多層帳票の作製方法であって、
前記各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、前記重ね調整位置に搬送される当該帳票体に付された当該認識符号に前記所定波長の励起光を照射しながら前記認識符号を撮像するステップと、
撮像されたそれぞれの認識符号間の一致部分の位置ずれ量を演算するステップと、
何れかの帳票体に対して当該位置ずれ量に応じて移動させ、各帳票体間の認識符号の一致部分を一致させるステップと、
前記認識符号の一致部分が一致された各帳票体を重ね合わせて多層帳票を形成させるステップと、
を含むことを特徴とする多層帳票の作製方法。
【請求項５】
請求項４記載の多層帳票の作製方法であって、前記重ね調整位置に、前記各帳票体に付された認識符号の一致部分と一致する基準一致部分を備えた基準認識符号が付された部材を設けておき、当該基準認識符号に対して順次対応帳票体の認識符号の一致部分を一致させていくことを特徴とする多層帳票の作製方法。
【発明の詳細な説明】
【０００１】
【発明の属する技術分野】
本発明は、所定の帳票体が所定数重ね合わされた多層帳票を作製する多層帳票の作製システムおよび作製方法に関する。
【０００２】
【従来の技術】
近年、多層帳票として、例えば配送伝票、積層ラベル、貼合タック、情報隠蔽葉書、通常の複数綴じ帳票等がある。一例として、宅配便等で使用される配送伝票は、配送物の配送過程で必要な各帳票体が重ねられて接着され、配送過程で必要に応じて対応の帳票体が分離される形態のものが殆どである。この配送伝票のような多層帳票は、その製造工程において見当合わせによる重ね合わせ工程の効率化、高精度化が望まれている。
【０００３】
従来、多層帳票の作製においては、当該多層帳票を構成する各帳票体を見当合わせして重ね合わせる工程がある。この工程は、各帳票体にマークが付されるもので、当該各帳票体がそれぞれ別個に搬送され、重ね合わせ位置に搬送されてきたときにマークを位置センサにより検出して位置合わせを行ってそれぞれの帳票体を重ね合わせるものである。また、他の方法として、例えば各帳票体に当該帳票に関する情報のバーコードが付され、バーコードリーダにより検出、情報読み込みを行って位置合わせ、重ね合わせを行うものである。
【０００４】
【発明が解決しようとする課題】
しかしながら、上記各帳票体の重ね合わせを位置センサ等のセンサやバーコードリーダによる位置検出では、それぞれの帳票体にマークやバーコードを付さなければならず、多層帳票の機能として本来不必要なものが付されることによる帳票体の意匠を損なうという問題がある。また、センサやバーコードリーダによる検出誤差や搬送停止誤差等により精度の低い位置合わせしか行うことができず、このことによって作製される多層帳票の歩留りが低下するという問題があり、このようなセンサやバーコードリーダによる高精度の位置合わせを行おうとすると、搬送機構や制御のための処理が複雑となってコスト高を招くという問題がある。
【０００５】
そこで、本発明は上記課題に鑑みなされたもので、帳票体の意匠を損なわずに各帳票体を高精度に重ね合わせ可能とする多層帳票の作製システムおよび作製方法を提供することを目的とする。
【０００６】
【課題を解決するための手段】
上記課題を解決するために、請求項１の発明では、複数種の帳票体を重ね合わせて多層帳票を作製する多層帳票の作製システムであって、前記各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、少なくとも当該各帳票体をそれぞれ個別に重ね調整位置に搬送するそれぞれの搬送手段と、前記重ね調整位置に搬送される各帳票体に付された前記認識符号に前記所定波長の励起光を照射しながら前記認識符号を撮像する撮像手段と、前記撮像手段で撮像されたそれぞれの認識符号間の一致部分の位置ずれ量を演算し、各帳票体の認識符号の一致部分を一致させるために、何れかの帳票体を搬送する前記搬送手段に対して当該位置ずれ量に応じた移動量を出力する駆動制御処理手段と、前記認識符号の一致部分が一致された各帳票体を重ね合わせて多層帳票を形成させる重ね合わせ手段と、を有する構成とする。
【０００７】
請求項２の発明では、「前記重ね調整位置に、前記各帳票体に付された認識符号の一致部分と一致する基準一致部分を備えた基準認識符号が付された部材が設けられ、当該基準認識符号に対して順次対応帳票体の認識符号の一致部分を一致させていく」構成であり、請求項３の発明では、「前記各帳票体は、それぞれ、枚葉の帳票体、または枚葉帳票体が所定数連続した連続帳票体であり、当該連続帳票体が前記重ね合わせ手段で重ね合わされた後に単一の多層帳票に分離される」構成である。
【０００８】
請求項４の発明では、複数種の帳票体を重ね合わせて多層帳票を作製する際に、重ね調整位置に搬送される各帳票体を位置合わせする工程を含む多層帳票の作製方法であって、前記各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、前記重ね調整位置に搬送される当該帳票体に付された当該認識符号に前記所定波長の励起光を照射しながら前記認識符号を撮像するステップと、撮像されたそれぞれの認識符号間の一致部分の位置ずれ量を演算するステップと、何れかの帳票体に対して当該位置ずれ量に応じて移動させ、各帳票体間の認識符号の一致部分を一致させるステップと、前記認識符号の一致部分が一致された各帳票体を重ね合わせて多層帳票を形成させるステップと、を含む構成とする。
【０００９】
請求項５の発明では、「前記重ね調整位置に、前記各帳票体に付された認識符号の一致部分と一致する基準一致部分を備えた基準認識符号が付された部材を設けておき、当該基準認識符号に対して順次対応帳票体の認識符号の一致部分を一致させていく」構成である。
【００１０】
このように、各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、重ね調整位置に搬送される当該帳票体に付された当該認識符号に前記所定波長の励起光を照射しながら当該認識符号を撮像し、それぞれの認識符号間の一致部分の位置ずれ量を演算して何れかの帳票体に対して当該位置ずれ量に応じて移動させることで各帳票体間の認識符号の一致部分を一致させる。すなわち、認識符号は不可視のものであることから、帳票体の意匠を損なわないようにすることが可能であり、位置ずれを調整させることから、各帳票体を高精度に重ね合わせ可能とするものである。
【００１１】
【発明の実施の形態】
以下、本発明の好ましい実施形態を図により説明する。本実施形態では、多層帳票として配送伝票を例として２つの帳票体を多層とする場合を示すが、多層とする枚数を問うものでない。また、配送伝票に限らず、上述のように、積層ラベル、貼合タック、情報隠蔽葉書、通常の複数綴じ帳票等の多層帳票においても適用することができるものである。なお、本発明における「帳票体」とは、上記の一般的な帳票の他、多層カードを構成するラミネート部材のように、被印刷部材以外の、意匠性を必要としない「単純なシート部材」なども含むものである。
【００１２】
図１に、本発明に係る第１実施形態の多層帳票作製システムの構成図を示す。図１（Ａ）は、本システムの概念構成図であり、図１（Ｂ）は位置合わせの概念説明図である。図１（Ａ）、（Ｂ）において、多層帳票作製システム１１は、多層帳票としての配送伝票を構成する枚葉の貼付票１２としてなる帳票体を供給搬送するラインと、枚葉の配達票１６としてなる帳票体を供給搬送するラインとを備える。なお、貼付票１２および配達票１６の構成は図３で説明する。
【００１３】
貼付票１２の供給搬送ラインには第１送りローラ１３、第２送りローラ１４および第１駆動調整ローラ１５が配置され、配達票１６の供給搬送ラインには第３送りローラ１７、第４送りローラ１８および第２駆動調整ローラ１９が配置される。上記各送りローラ１３，１４，１７，１８および各駆動調整ローラ１５，１９により搬送手段を構成する。そして、２つのラインからの搬送される貼付票１２および配達票１６を重ね合わせて多層帳票３１とする重ね合わせ手段である合せローラ２０が配置される。
【００１４】
また、第２および第４送りローラ１４，１８と、第１および第２駆動調整ローラ１５，１９との間を重ね調整位置とし、当該重ね調整位置の上方に撮像手段２１が配置される。なお、各ローラ間には、必要に応じてガイド２２〜２５が配置される。また、貼付票１２の供給搬送ラインには重ね調整位置の前段に、当該貼付票１２の所定位置（図３で説明する）に接着剤を塗布する接着剤塗布手段２６が配置される。
【００１５】
この接着剤塗布手段２６は、多層帳票とする際に必要に応じて設けられるもので、配達票１６の供給搬送ライン上に配置してもよく、また重ね調整位置の後段に配置してもよい。当該接着剤塗布手段２６により粘着剤を塗布させる場合には、搬送に支障を来さないように、当該ラインの送りローラの表面をフッ素系で形成させればよい。また、例えば配達票１６および貼付票１２とを剥離自在に一時接着させる場合には、当該配達票１６の裏面に感圧接着剤を塗布させ、当該貼付票１２の表面に感圧接着剤を塗布させる接着剤塗布手段を各ラインに配置させればよい。
【００１６】
上記配達票１６および貼付票１２の所定位置には、通常状態では不可視であり、所定波長の励起光を照射することで画像認識されるインキにより、それぞれ一致部分（例えば後述の中心部）を備えた認識符号である見当マーク３２，３３が付される。ここでは、上記配達票１６および貼付票１２を特定するため、見当マーク３２，３３は、それぞれ異なる形態としており、同心円で表示するもので、本来不可視であるが、図面上では説明を容易とするために可視状態で示している。上記インキは、例えば赤外光を照射すると赤外領域（不可視領域）の波長を発光させるものであり、例えば赤外ステルスインキとして従前より知られているものである。
【００１７】
すなわち、上記撮像手段２１は、重ね合わせ対象の貼付票１２および配達票１６に赤外光を照射することで配達票１６の見当マーク３２から発せられる赤外領域の波長の発光を撮像すると共に、当該配達票１６に隠れた貼付票１２にも赤外光が照射されて見当マーク３３から発せられる赤外領域の波長の発光を撮像するものである。また、見当マーク３２，３３は貼付票１２と配達票１６とが正規に重ね合わされたときに一致部分（中心部）が一致される位置に予め表示されるものである。なお、見当マーク３２，３３は同一形態であってもよく、本実施形態のように、各帳票を特定するために認識符号を異なる形態とする場合には、上記同心円に限らず、一致部分を備えている、異なる形状の図形や記号等を用いてもよい。
【００１８】
そして、後述の図２で示す駆動制御処理手段が、上記撮像手段２１で撮像された見当マーク３２，３３により、当該見当マークが何れの帳票体であるかを特定すると共に、それぞれの見当マーク３２，３３間の一致部分（中心部）の位置ずれ量を演算し、各帳票体の認識符号の一致部分を一致させるために、何れかの帳票体（ここでは配達票１６とする）を搬送する第２駆動調整ローラ１９を駆動する図示しない駆動手段に対して当該位置ずれ量に応じた移動量を出力するものである。
【００１９】
ここで、図２に、図１の多層帳票作成システムにおける駆動制御処理手段のブロック図を示す。図２に示す駆動制御処理手段４１は、適宜、制御手段４２、バス４３、インタフェース（ＩＦ）４４、画像データ展開手段４５、帳票体特定手段４６、位置ずれ量演算手段４７、調整駆動制御手段４８、送りローラ駆動制御手段４９および合せローラ駆動制御手段５０を備える。制御手段４２は、多層帳票作製システム１１の駆動制御等を統括するもので、対応のプログラムが格納されている。
【００２０】
上記ＩＦ４４は、撮像手段２１から撮像したの画像データ（見当マーク３２，３３）を入力し、各送りローラ１３，１４，１７，１８を駆動する図示しない各送り駆動部に対して駆動制御信号を出力し、各駆動調整ローラ１５，１９を駆動する図示しない各駆動調整駆動部に対して駆動制御信号を出力し、また、合せローラ２１を駆動する図示しない合せ駆動部に対して駆動制御信号を出力する。上記画像データ展開手段４５は、入力した画像データを例えばビットマップ上に展開する。
【００２１】
上記帳票体特定手段４６は、貼付票１２および配達票１６の各帳票体に付される見当マーク３２，３３の形状、大きさ等の形態を関連付けた設定データを格納しており、画像データ展開手段４５で展開された見当マーク３２，３３に基づいて対応の帳票体を特定すると共に、当該帳票体が重ね調整位置に搬送されてきたことを検出する。なお、各帳票体の重ね調整位置に搬送されてきたことの検出を、別個に位置センサ等を配置して検出信号を入力することとしてもよい。
【００２２】
上記位置ずれ量演算手段４７は、上記画像データ展開手段４５に展開された見当マーク３２，３３の各一致部分（中心）の位置ずれ量を演算する。上記調整駆動制御手段４８は、位置ずれ量演算手段４７で演算された位置ずれ量に応じた配達票１６を移動調整させる移動量の駆動調整信号を生成して第２駆動調整ローラ１９を駆動する図示しない駆動部に出力する。上記送りローラ駆動制御手段４９は、それぞれの送りローラ１３，１４，１７，１８をそれぞれ駆動する駆動制御信号を生成して図示しない各駆動部に出力する。そして、上記合わせローラ駆動制御手段５０は、合せローラ２０を駆動する駆動制御信号を生成して図示しない合せ駆動部に出力するものである。
【００２３】
そこで、図３に、図１の多層帳票作製システムにおける多層帳票の見当合わせの説明図を示す。図３（Ａ）は、重ね調整位置に搬送されてきた貼付票１２および配達票１６を示したものである。貼付票１２は基材（紙、フィルム等）１２１の裏面に粘着剤１２２が形成され、貼付票としての帳票体が印刷された表面上に顕色剤層１２３が形成されたものであり、粘着剤１２２部分には剥離紙１２４が貼付されている。この貼付票１２上の端部には上記接着剤塗布手段２６により粘着剤１２５が塗布される。上記顕色剤層１２３としては、例えば電子受容性のレジン、活性白土等からなる顕色剤を内包するものである。
【００２４】
一方、配達票１６は配達票としての帳票体（貼付票１２の帳票体と略同一）が基材（紙、フィルム等）１６１上に印刷され、裏面に発色剤層１６２が形成されたものである。上記発色剤層１６２としては、例えば特開平９−２０７４３３号公報等に記載されているように、所定の塗布剤のビヒクル中に所定の染料を含む発色剤マイクロカプセルが分散されてなる。そして、貼付票１２と配達票１６とが重ね合わされて多層帳票３１とされた場合に、配達票１６に配送に関する情報が筆記または印字されたときに加圧部分の発色剤層１６２の加圧部分で分散されている発色剤マイクロカプセルが破壊され、当該カプセル内の発色剤（染料）が貼付票１２上の顕色剤層１２１上で顕色化されることにより、当該情報が貼付票１２に複写されるものである。
【００２５】
そして、貼付票１２および配達票１６の所定部分に、見当マーク３２，３３が不可視状態で同心円形態として付されている。すなわち、各見当マーク３２，３３は、不可視であることから、貼付票１２および配達票１６の各帳票体の意匠を損なわないものである。
【００２６】
上記のような貼付票１２および配達票１６が上記送りローラ１３，１４，１７，１８で重ね調整位置に搬送されてきたことを撮像手段２１による画像データで上記帳票体特定手段４６が認識すると、各送りローラ１３，１４，１７，１８の駆動が停止され、そのときの見当マーク３２，３３の画像データが改めて画像データ展開手段４５に展開される。この展開された見当マーク３２，３３が図３（Ｂ）の左部分に示される。
【００２７】
そこで、位置ずれ量演算手段４７が、見当マーク３２の中心部（一致部分）と見当マーク３３の中心部（一致部分）との位置ずれ量Ｘを演算する。この位置ずれ量Ｘに基づいて調整駆動制御手段４８が配達票１６を移動調整させる移動量（Ｘ）の調整駆動制御信号を生成して駆動調整ローラ１９を駆動させることにより、図３（Ｂ）の右部分に示すように、各中心部３２Ａ，３３Ａを一致させるものである。各見当マーク３２，３３が一致した状態で合せローラ２０に貼付票１２および配達票１６を重ね合わせることで、粘着剤１２５で接着されて、図３（Ｃ）に示すような多層帳票３１が作製されるものである。
【００２８】
このように、見当マーク３２，３３は不可視のものであることから、貼付票１２および配達票１６の各帳票体の意匠を損なわないようにすることができるものであり、位置ずれを調整させて一致させることから、貼付票１２および配達票１６の各帳票を高精度に重ね合わせることができるものである。
【００２９】
続いて、図４に、他の多層帳票の見当合わせの説明図を示す。図４（Ａ）において、図１に示すガイド２２に、貼付票１２および配達票１６の各帳票体に付された見当マーク３２，３３の中心部（一致部分）と一致する基準中心部（一致部分）を備え、当該貼付票１２および配達票１６の各帳票体の見当マーク３２，３３と直径の異なる形態（同心円）の基準見当マーク５１を付したものである。
【００３０】
すなわち、図４（Ｂ）に示すように、まず、基準見当マーク５１と貼付票１２の見当マーク３３との位置ずれ量Ｘ１を演算して駆動調整ローラ１５により各中心部５１Ａ，３３Ａを一致させる。また、図４（Ｃ）に示すように、基準見当マーク５１（貼付票１２の見当マーク３３）と配達票１６の見当マーク３２との位置ずれ量Ｘ２を演算して駆動調整ローラ１９により各中心部５１Ａ（３３Ａ），３２Ａを一致させることにより、当該貼付票１２および配達票１６の各帳票を一致させて重ね合わせをさせるものである。このように、別に基準見当マーク５１を設けることによっても、上記同様に貼付票１２および配達票１６の各帳票体を高精度に重ね合わせることができるものである。このことは、以下に示す第２実施形態においても同様である。
【００３１】
次に、図５に、本発明に係る第２実施形態の多層帳票作製システムの構成図を示す。図５（Ａ）は、本システムの概念構成図であり、図５（Ｂ）は位置合わせの概念説明図である。図５（Ａ）、（Ｂ）において、多層帳票作製システム６１は、多層帳票としての配送伝票を構成する枚葉の貼付票１２が所定数連続された貼付票連続体１２Ａの連続帳票体を供給搬送するラインと、枚葉の配達票１６が所定数連続された配達票連続体１６Ａの連続帳票体を供給搬送するラインとを備える。
【００３２】
貼付票連続体１２Ａの供給搬送ラインには搬送調整駆動手段としてのトラクタ６２が配置され、配達票連続体１６Ａの供給搬送ラインにはトラクタ６３および適宜トラクタ６４が配置される。これらトラクタ６２〜６４により搬送手段が構成され、そのうちトラクタ６２，６３が搬送調整駆動の手段となる。また、合せローラ２０、撮像手段２１および接着剤塗布手段２６は上記同様である。そして、合せローラ２０で重ね合わせられた多層帳票連続体７１が形成され、それぞれの多層帳票（１０１）に図示しない分離手段により分離されるものである。
【００３３】
上記貼付票連続体１２Ａおよび配達票連続体１６Ａは、搬送方向の両側部に搬送孔が形成されたマージナル部８１Ａ，８１Ｂ，８３Ａ，８３Ｂが設けられ、このマージナル部の搬送孔が各トラクタ６２〜６４と係合されることにより供給搬送されるものである。また、各貼付票連続体１２Ａおよび配達票連続体１６Ａは、図１（Ｂ）、図３（Ａ）に示す構造の貼付票１２および配達票１６が切取線８２，８４で連続されたもので、それぞれに上記のように見当マーク３２，３３が付されている。
【００３４】
ここで、図６に、図５の多層帳票作成システムにおける駆動制御処理のブロック図を示す。図６に示す駆動制御処理手段９１は、図２の駆動制御処理手段４１の調整駆動制御手段４８および送りローラ駆動制御手段４９に代えて、搬送調整駆動制御手段９２および搬送駆動制御手段９３を設けたもので、他の構成は図２と同様であり、説明を省略する。上記搬送調整駆動制御手段９２は、上記トラクタ６２，６３を駆動させる図示しない各搬送調整駆動部を駆動するための駆動制御信号を生成して出力する。また、搬送駆動制御手段９３は、上記トラクタ６４を駆動させる図示しない各搬送駆動部を駆動するための駆動制御信号を生成して出力するものである。
【００３５】
そこで、図７に、図５の多層帳票作製システムにおける多層帳票の見当合わせの説明図を示す。図７（Ａ）において、貼付票連続体１２Ａおよび配達票連続体１６Ａ（図では枚葉部分のみを示している）が上記トラクタ６２，６３で重ね調整位置に搬送されてきたことを撮像手段２１による画像データで上記帳票特定手段４６が認識すると、各トラクタ６２，６３の駆動が停止され、そのときの見当マーク３２，３３の画像データが改めて画像データ展開手段４５に展開される。この展開された見当マーク３２，３３が図７（Ｂ）の左部分に示される。
【００３６】
続いて、位置ずれ量演算手段４７が、見当マーク３２の中心部（一致部分）と見当マーク３３の中心部（一致部分）との位置ずれ量Ｘを演算する。この位置ずれ量Ｘに基づいて搬送調整駆動制御手段９２が配達票連続体１６Ａを移動調整させる移動量（Ｘ）の搬送調整駆動制御信号を生成してトラクタ６３（ここでも調整対象を配達票連続体１６Ａとする）を駆動させることにより、図７（Ｂ）の右部分に示すように、各中心部３２Ａ，３３Ａを一致させるものである。各見当マーク３２，３３が一致した状態で合せローラ２０に貼付票１２および配達票１６を重ね合わせることで、粘着剤１２５で接着されて、重ね合わせられた多層帳票連続体７１が形成され、後に図示しない分離手段により切取線８２，８４で分離されることで、図７（Ｃ）に示すような多層帳票１０１が作製されるものである。
【００３７】
このように、貼付票連続体１２Ａおよび配達票連続体１６Ａを使用することものであっても、上記同様に見当マーク３２，３３は不可視のものであることから、最終的な多層帳票１０１における貼付票１２および配達票１６の各帳票体の意匠を損なわないようにすることができるものであり、位置ずれを調整させて一致させることから、貼付票１２および配達票１６の各帳票体を高精度に重ね合わせることができるものである。なお、上記図４に示す基準見当マーク５１を用いる場合であっても同様である。
【００３８】
【発明の効果】
以上のように、本発明によれば、各帳票体には定められた位置に、通常状態では不可視であり、所定波長の励起光を照射することで画像認識されるインキにより、それぞれ一致部分を備えた認識符号が付されて、重ね合わされたときに下層の帳票体に付された当該認識符号が隠れるものであり、重ね調整位置に搬送される当該帳票体に付された当該認識符号に、当該所定波長の励起光を照射しながら前記認識符号を撮像すると共に、それぞれの認識符号間の一致部分の位置ずれ量を演算して何れかの帳票体に対して当該位置ずれ量に応じて移動させることで各帳票体間の認識符号の一致部分を一致させることにより、帳票体の意匠を損なわずに各帳票体を高精度に重ね合わせることができる。さらに、従来では不可能であった、完成された多層帳票の重ね合わせ状態の良否を再度検査することもできるなど、様々な効果を奏するものである。
【図面の簡単な説明】
【図１】本発明に係る第１実施形態の多層帳票作製システムの構成図である。
【図２】図１の多層帳票作成システムにおける駆動制御処理手段のブロック図である。
【図３】図１の多層帳票作製システムにおける多層帳票の見当合わせの説明図である。
【図４】他の多層帳票の見当合わせの説明図である。
【図５】本発明に係る第２実施形態の多層帳票作製システムの構成図である。
【図６】図５の多層帳票作成システムにおける駆動制御処理のブロック図である。
【図７】図５の多層帳票作製システムにおける多層帳票の見当合わせの説明図である。
【符号の説明】
１１，６１              多層帳票作製システム
１２，１６              帳票体
１５，１９              駆動調整ローラ
２０                    合せローラ
２１                    撮像手段
２６                    接着剤塗布手段
３１，１０１            多層帳票
３２，３３，５１        見当マーク
４１，９１              駆動制御処理手段
６２，６３，６４        トラクタ
７１                    多層帳票連続体
【図１】
0003878060.tif 000002
【図２】
0003878060.tif 000003
【図３】
0003878060.tif 000004
【図４】
0003878060.tif 000005
【図５】
0003878060.tif 000006
【図６】
0003878060.tif 000007
【図７】
0003878060.tif 000008